(57)【要約】  身体鍛錬装置（１０）には、前部（１５）及び後部（１６）を有するメインフレーム（１１）、前部（１５）から離隔させた直立部（１７）、及びメインフレーム（１１）の前部（１５）に関して摺動可能なキャリッジ（１２）を有する。ケーブル（１４）をその１端部でキャリッジ（１２）に連結し、前部（１５）から直立部（１７）まで延在させる。重り（１３）を枢動可能に直立部（１７）に実装し、ケーブル（１４）の他端部に連結させて、メインフレーム（１７）の基礎部より上方で前部（１７）後方に位置させ、それによりキャリッジ（１２）にかかる駆動力によって重り（１４）を上昇させると、その結果キャリッジ（１２）にかかる駆動力に対する抵抗を提供する。【選択図】図１
2007522844.tif 000002
【特許請求の範囲】
【請求項１】
基礎部、前部及び前部から離隔した直立部を有する後部を有するメインフレーム、該メインフレームの前部に関して摺動可能な可動キャリッジ、その１端部でキャリッジに連結させ前部から直立部まで延伸させるケーブル、及び直立部に枢動可能に実装し、該ケーブルの他端部に連結させ、前部の後方でメインフレームの基礎部上方に位置させる重りを備え、こうした配置によって、キャリッジにかかる駆動力によって重りが上昇すると、それによりキャリッジにかかる駆動力に対する抵抗を提供すること、を特徴とする身体鍛錬装置。
【請求項２】
直立部は、１対の離隔させた前部柱及び１対の離隔させた後部柱から成り、重りを前部柱の上端部に、又は、前部柱の上端部に隣接させて枢動可能に実装すること、を特徴とする請求項１に記載の装置。
【請求項３】
四分円体を、前部柱の上端部に、又は前部柱の上端部に隣接させて、重りと同軸の周りに枢動可能に実装すること、を特徴とする請求項２に記載の装置。
【請求項４】
重りを四分円体腕部に連結させること、を特徴とする請求項３に記載の装置。
【請求項５】
重りを、前記軸から延在する１対の棒体に実装した心棒に実装し、該棒体を調節可能に四分円体に連結可能にすること、を特徴とする請求項４に記載の装置。
【請求項６】
後部柱の頂部で、又は後部柱の頂部に隣接した第１プーリ、後部柱の基礎部で、又は後部柱の基礎部に隣接した第２プーリ、及び前部の最前部で、又は前部の最前部に隣接した第３プーリを含み、ケーブルを四分円体から、第１、第２及び第３プーリに掛回して、キャリッジにまで延伸させること、を特徴とする請求項２に記載の装置。
【請求項７】
キャリッジは、水平なレールに沿って移動するよう構成した１対の離隔した摺動部材  から成ること、を特徴とする請求項１に記載の装置。
【請求項８】
各摺動部材には１対の上側車輪及び下側車輪を有し、該車輪は前記其々のレールの上面及び下面に係合すること、を特徴とする請求項７に記載の装置。
【請求項９】
キャリッジを略水平面で摺動可能にすること、を特徴とする請求項１に記載の装置。
【請求項１０】
キャリッジを略垂直面で摺動可能にすること、を特徴とする請求項１に記載の装置。
【請求項１１】
キャリッジを傾斜したフレームに沿って摺動可能にすること、を特徴とする請求項１に記載の装置。
【請求項１２】
重りを直立部の上部で、又は直立部の上部に隣接させて枢動可能に実装すること、を特徴とする請求項１に記載の装置。
【請求項１３】
直立部には前部フレームと後部フレームを有し、重りを該後部フレームの上部で、又は該後部フレームの上部に隣接させて枢動可能に実装すること、を特徴とする請求項１に記載の装置。
【請求項１４】
直立部には前部フレーム、後部フレーム及び前部フレームと後部フレームとの間を連結するクロスバーを有し、重りを該クロスバーに枢動可能に実装すること、を特徴とする請求項１に記載の装置。
【請求項１５】
直立部の基礎部の最前部にある第１プーリ、及び第１プーリの後方に離隔させて直立部の頂部で、又は該直立部の頂部に隣接させた第２プーリを含み、ケーブルを、前記キャリッジから、第１プーリ及び第２プーリに掛回して、重りまで延伸させること、を特徴とする請求項１に記載の装置。
【請求項１６】
基礎部で、又は基礎部に隣接させた第１プーリ、及び直立部の頂部で、又は直立部の頂部に隣接させた第２プーリを含み、第１ケーブルは前記キャリッジから該第１及び第２プーリに掛回して延伸させ、該ケーブルの他端部を基礎部に固定し、更には第３プーリを第２プーリの後方に含み、第２ケーブルを第２プーリから第３プーリに掛回して、重りにまで延伸させること、を特徴とする請求項１に記載の装置
【発明の詳細な説明】
【技術分野】
【０００１】
本発明は、身体鍛錬機械及び装置に関し、特には運動選手の体力と技術を発達させ、テストする装置に関する。
【０００２】
便宜上、本発明について、ラグビー競技のフォワード選手の体力及び技術を発達させる際にこの装置を使用することに関して記述するが、本発明はこれに限定しないものと理解され、同様に他の競技及び活動にも適用できるものとする。
【背景技術】
【０００３】
従来、ラグビー競技のフォワード選手の技術を発達させるための身体鍛錬機械は、基礎部と係合させるキャリッジから成り、該キャリッジにより離隔したパッドを担持しており、該パッドに対して選手が押圧すると、その押圧に対する抵抗が、キャリッジを基礎部に接触させることによって生成される。かかるスクラム訓練用機械の短所は、それらが筋力を発達させない、又はラグビーのスクラムで発生する動態作用をシミュレートしない点である。
【０００４】
正確に計った抵抗を水平面で提供して、効果的に、ラグビーのスクラムで発生する体位及び動態作用をシミュレートし、その結果必要な特定の筋力を発達させる身体鍛錬機械に関するニーズが存在する。
【０００５】
スクワット運動によって提供される筋肉の収縮及び伸張をシミュレートするだけでなく、運動選手が膝及び股関節を深く収縮してから、これらの関節を完全に伸張させるまで移動するにつれて抵抗を変化させ増大させる、身体鍛錬機械に関するニーズも存在する。
【発明の開示】
【０００６】
本発明の１態様によれば、身体鍛錬装置を提供するが、該身体鍛錬装置は、基礎部、前部及び前部から離隔した直立部を有する後部を有するメインフレーム、該メインフレームの前部に関して摺動可能な可動キャリッジ、その１端部でキャリッジに連結させ前部から直立部まで延伸させるケーブル、及び直立部に枢動可能に実装し、該ケーブルの他端部に連結させ、前部の後方でメインフレームの基礎部上方に位置させる重りを備えており、こうした配置によって、キャリッジにかかる駆動力によって重りが上昇すると、それによりキャリッジにかかる駆動力に対する抵抗を提供するようにしている。
【発明を実施するための最良の形態】
【０００７】
図面に示した身体鍛錬装置１０は、メインフレーム１１、可動キャリッジ１２、重り１３及びキャリッジ１２と重り１３との間を連結するケーブル１４から成る。メインフレーム１１には、併せてメインフレームの基礎部を構成する前部１５と後部１６、及び前部１５の後方に直立部１７を有する。
【０００８】
直立部１７は、１対の離隔させた前部直立柱１８及び１対の離隔させた後部直立柱１９から成り、これらの柱を纏めて該柱の頂部で長手方向棒体２０によって連結し、該棒体によって後部柱１９の頂部に隣接させて第１プーリ２１を支持するが、該後部柱１９は基礎部支持体２２から上方に延在させている。  
【０００９】
第２プーリ２３を後部柱１９の最下部に隣接して実装し、第３プーリ２４を基礎部前部１５の最前部に実装する。
【００１０】
キャリッジ１２は、支柱２７及び２８の両対上に実装したレール２５及び２６に沿って移動するが、該支柱２７及び２８を基礎部の前部１５に、側材２９及び３０の両対によって連結させている。
【００１１】
キャリッジ１２は、横材３３によって相互連結した１対の摺動部材３１及び３２から成る。ブレースを設置した支柱３４には其々にパッド３５を担持させる。各摺動部材３１及び３２には１対の上側車輪３５及び下側車輪３６を有し、該車輪はレール２５及び２６の上面及び下面に係合する。
【００１２】
装置１０の最前部には、１対の足掛レール３６、３７を、前部１５から前方に突出した調節可能なレール３８に実装している。ケーブル１４は、重り１３から第１プーリ２１に渡し、第２プーリ２２に掛回し、第３プーリ２４へと延在させ、キャリッジ１２の横材３３に連結させる。
【００１３】
前部柱１８に、可動な四分円体４０を枢動部４１でヒンジ結合させて支持する。また、この枢動部４１で、棒体４２をヒンジ結合させるが、該棒体４２を四分円体４０に、該四分円体４０のリム周辺に配設した多数の穴部４３の１つを通してピン結合させる。重り１３を、棒体４２端部を貫通する心棒４４に実装する。
【００１４】
ケーブル１４の端部を、四分円体の基部に固定して、四分円体４０の溝状の円周部に関して延在させ、上方に上げてプーリ２１に渡す。
【００１５】
運動選手がパッド３５を押圧すると、キャリッジ１２が図１の矢印Ａの方向に後方に移動し、ケーブル１４が重り１３を上昇させて、運動選手による駆動圧に対する抵抗を提供する。
【００１６】
好適には、運動選手は身を屈めて、その姿勢を背中が水平な状態にして後、パッド３５を押圧するものとする。ケーブル及びプーリによって、重り１３の垂直抵抗をキャリッジの駆動力に対する水平抵抗に変換する。
【００１７】
四分円体部分４０及び取着した重り１３を上昇させると、抵抗トルクが、心棒４４から枢動部４１へのモーメントアームが大きくなるのと同じ割合で増大する。この作用によって、装置１０は、関連する筋肉がより少ないトルクを印加可能な移動範囲ではより少ない抵抗を提供し、それらの筋肉がより大きなトルクを付与可能な移動範囲ではより大きな抵抗を提供する。
【００１８】
棒体４２の様々な配置を、ピンを任意の１つの穴４３に挿入することによって、可能にするが、それによって運動選手は、この運動動作の開始時に抵抗トルクを選択できる。
【００１９】
本発明の本実施例では、様々な抵抗を、ケーブルを四分円体４０円周部の中を巡らすことで、獲得できる。本発明の変更例では、可変的な半径のカムを使用して、特定の抵抗トルクに変動できる。
【００２０】
図１〜図７で示すように、本発明の本実施例に関するキャリッジは略水平面で摺動する。
【００２１】
図８で示す本発明の第２実施例が本発明の第１実施例と異なるのは、第２実施例では抵抗を垂直平面で提供する点だけでなく、スクワット運動によって提供される筋肉の収縮及び伸張をシミュレートし、抵抗を、運動選手が膝及び股関節を深く収縮させてからこれらの関節を完全に伸張させるにつれて、変化させ増大させる点である。
【００２２】
図８で示すように、装置１００には前部１０２及び後部１０３を有するメインフレーム１０１を含み、該後部１０３には直立部１０４を有する。垂直方向に可動なキャリッジ１０５を、前部１０２の一部を構成する直立体１０６に関して実装する。キャリッジ１０５にはパッド１０６を担持し、ケーブル１０７の一端部を連結させており、該ケーブルはプーリ１０８及び１０９に掛回され、その後四分円体１１１の円周部１１０に通されている。ケーブル１０７の他端部を、第１実施例の場合と同様に、四分円体１１１の下側部分に固定している。重り１１２を、棒体１１３の自由端部に実装するが、該棒体は直立部１０４で軸１１４の周りに、本発明の第１実施例と同様な方法で、枢動させる。
【００２３】
図９及び図１０に示した本発明の第３実施例及び第４実施例では、垂直面での抵抗を提供しており、ラグビーのラインアウトでジャンパーを持上げ、支える際に生じる動態作用をシミュレートしている。本発明のこれらの実施例では、可動なキャリッジを上昇させると、抵抗が変化及び増大し、それによりラインアウトのジャンパーの運動量が、ジャンパーが地面から上昇するにつれて、減少し、その結果必要となる、サポート選手が支えねばならない増大する負荷について、シミュレートしている。本発明のこれらの実施例は、単独で又は２人の選手によって同時に操作可能である。
【００２４】
図９で示すように、キャリッジ２０１を直立体２０２に沿って垂直方向に可動にする。ケーブル２０３を、キャリッジ２０１の下側クロスバー２０４から、プーリ２０５、２０６、２０７及び２０８に掛回し延在させる。ケーブル２０３の他端部２０９は、基礎部２１０に定着させる。プーリ２０８を遊動プーリとし、これを第２ケーブル２１１の一端部に連結し、該ケーブルをプーリ２１２に掛回して通し、前述のように、四分円体２１４の円周部２１３に通す。四分円体２１４は軸２１５の周りに、心棒２１７上の重り（図示せず）を支持するサブフレーム２１６と同様に、枢動する。
【００２５】
図１０に示した実施例は、図９の実施例と、四分円体２１４の配置が異なり、ケーブル／プーリの配置を簡略化してある以外は、略同様である。図９及び図１０では、同じ数字は同じ構成要素を示す。
【００２６】
図１１及び図１２に示した本発明の第５実施例は、膝及び股関節を同時に伸縮させる際に関係する筋肉を鍛え及び強化する身体鍛錬機械であり、この機械によって、運動選手が膝及び股関節を完全に伸張させてからそれらの関節を深く収縮させるように動くと、抵抗が変化し減少する。
【００２７】
図１１及び図１２に示すように、キャリッジ３００を傾斜したフレーム３０１に沿って可動にする。ケーブル３０２をキャリッジ３００からプーリ３０３及び３０４に掛回して延伸させ、該ケーブルの他端部３０５を調節可能にフレーム３０１の前脚部にある調節棒３０６に取着する。
【００２８】
この場合、四分円体腕部３０７をクロスバー３０８に枢動可能に実装し、重りを棒体３０９に担持させる。テーブル３１０を、本装置の後部分の上方に実装し、キャリッジ３００には足首載せ部３１１及び足掛止パッド３１２を有する。テーブル３１０には、両側にハンドグリップ３１３を有する。
【図面の簡単な説明】
【００２９】
【図１】本発明の１実施例による身体鍛錬装置の正面斜視図である。
【図２】図１で示した身体鍛錬装置の後面斜視図である。
【図３】図１及び図２に示した身体鍛錬装置の側面図である。
【図４】図１及び図２に示した身体鍛錬装置の底面平面図である。
【図５】図１及び図２に示した身体鍛錬装置の平面図である。
【図６】図１及び図２に示した身体鍛錬装置の正面立面図である。
【図７】図１及び図２に示した身体鍛錬装置の背立面図である。
【図８】本発明の第２実施例による身体鍛錬装置の側面図である。
【図９】本発明の第３実施例による身体鍛錬装置の斜視図である。
【図１０】本発明の第４実施例による身体鍛錬装置の側面図である。
【図１１】本発明の第５実施例による身体鍛錬装置の側面図である。
【図１２】図１１で示した身体鍛錬装置の斜視図である。
【符号の説明】
【００３０】
１０、１００        身体鍛錬装置
１１、１０１        メインフレーム
１２、１０５、２０１、３００  キャリッジ
１３、１１２        重り
１４、１０７、２０３、３０２  ケーブル
１５、１０２        前部
１６、１０３        後部
１７、１０４        直立部
１８                  前部直立柱
１９                  後部直立柱
２０、４２、１１３    棒体
２２                  基礎部支持体
２４                  第３プーリ
３１、３２        摺動部材
３３                  横材
３６、３７        足掛レール
４０、１１１、２１４    四分円体
４１                  枢動部
１０６                パッド
１１４                軸
２０２                直立体
２０４                クロスバー
２１６                サブフレーム
３０１                フレーム
３０６                調節棒
３１０                テーブル
３１１                足首載せ部
３１２                足掛止パッド
【図１】
2007522844.tif 000003
【図２】
2007522844.tif 000004
【図３】
2007522844.tif 000005
【図４】
2007522844.tif 000006
【図５】
2007522844.tif 000007
【図６】
2007522844.tif 000008
【図７】
2007522844.tif 000009
【図８】
2007522844.tif 000010
【図９】
2007522844.tif 000011
【図１０】
2007522844.tif 000012
【図１１】
2007522844.tif 000013
【図１２】
2007522844.tif 000014
【国際調査報告】
2007522844.tif 000015
2007522844.tif 000016